(57)【要約】      （修正有）【課題】背中などに手が届かず、一人で薬剤を塗布し難い箇所を、一人で薬剤を容易に塗布することができる薬剤塗布補助具を提供する。【解決手段】塗り薬を背中等の手の届かない箇所に薬剤を塗り込む薬剤補助具において、断面が角型又は円形である支持棒２と、二つの挟持具を蝶番及び弾性体で繋いでいるクリップ３とを備え、前記二つの挟持具の端部で構成される挟持部３−１が前記支持棒から略直角方向に離れるように、一の該挟持具を前記支持棒の端面に固設し、かつ、前記挟持部の端に薬剤を付けた布、ちり紙又は脱脂綿を挟み込んで患部に擦り付けて塗布することを特徴とする薬剤塗布補助具１。【選択図】図１
0003172328.tif 000002
【実用新案登録請求の範囲】
【請求項１】
塗り薬を背中等の手の届かない箇所に薬剤を塗り込む薬剤補助具において、断面が角型又は円形である支持棒と、二つの挟持具を蝶番及び弾性体で繋いでいるクリップと、を備え、前記二つの挟持具の端部で構成される挟持部が前記支持棒から略直角方向に離れるように、一の該挟持具を前記支持棒の端面に固設し、かつ、前記挟持部の端に薬剤を付けた布、ちり紙又は脱脂綿を挟み込んで患部に擦り付けて塗布することを特徴とする薬剤塗布補助具。
【請求項２】
前記挟持部の端が、丸みを帯びた形状にしていることを特徴とする請求項１に記載の薬剤塗布補助具。
【請求項３】
前記挟持具が、クマ、カエル、パンダ、ウサギ等の動物をモチーフにして形を取られていることを特徴とする請求項１又は２に記載の薬剤塗布補助具。
【考案の詳細な説明】
【技術分野】
【０００１】
本考案は、背中などに手が届かず、一人で薬剤を塗布し難い箇所を、一人で薬剤を容易に塗布することができる薬剤塗布補助具に関するものである。
【背景技術】
【０００２】
皮膚外用療法は、軟膏剤・皮膚外用剤を、患部に直接塗り込む単純な方法であるが、効果の大きい治療法である。軟膏剤・皮膚外用剤は、一般には、チューブや、プラスチック又はガラスの容器に詰められていて、通常、それらから薬剤を出して自分の指に付け、それを患部に塗り込んで治療する。しかし、背中など、自分の手の届かない箇所に薬剤を塗布するには、自分で塗布することが出来ず、家族などの自分以外の人に頼んで塗布してもらうことが一般的であった。しかし、自分一人しかいない場合、特に、一人暮らしのお年寄りは、他の人に塗布してもらえず困ることが多い。
【０００３】
そこで、一人で、背中等に薬剤を塗布することが研究されており、例えば、棒状の先端部を塗り手部として、そこに直接薬剤を付けて、手が届かない箇所に薬剤を塗布する薬塗り器が開示されている（文献１）。
【０００４】
しかし、この薬塗り器では、塗り手部に直接薬剤を付けて塗布するので、衛生面から、使用毎に塗り手部を洗浄する必要があった。そこで、使用毎に塗り手部を洗浄しなくてもよいために、薬剤を浸み込ませた布等を把持する把持部を支持棒の先端部に有した薬剤塗布補助具が先行技術として開示されている（文献２）。
【先行技術文献】
【特許文献】
【０００５】
【特許文献１】特開平９−２２５０３８号公報（〔請求項１〜３〕、〔０００１、０００２〕、〔図１〜３〕）。
【特許文献２】特開２００２−１３６６０２号公報（〔請求項１〜２〕、〔０００４〜０００７〕、〔図１〕）。
【考案の概要】
【考案が解決しようとする課題】
【０００６】
前記先行技術は、ガーゼを用いて薬剤を塗布するので、衛生的に薬剤塗布具を使用できる点で有効であるが、支持棒が湾曲しているので、狙いを定めて患部に薬剤を塗布することが難しく、慣れが必要になり、また、把持部が角張っているので薬剤を塗布する場合に肌を傷つけて、患部を悪化させるおそれがあった。
【０００７】
そこで、上記の問題を解決するために、角がないクリップを一直線状の支持棒の先端に取り付け、かつ、薬剤を付けた布やちり紙を該クリップで挟んで、肌を傷つけることなく薬剤を塗布することができる薬剤塗布補助具を考案して提供するものである。
【課題を解決するための手段】
【０００８】
本考案の請求項１に係る薬剤塗布補助具は、塗り薬を背中等の手の届かない箇所に薬剤を塗り込む薬剤補助具において、断面が角型又は円形である支持棒と、二つの挟持具を蝶番及び弾性体で繋いでいるクリップと、を備え、前記二つの挟持具の端部で構成される挟持部が前記支持棒から略直角方向に離れるように、一の該挟持具を前記支持棒の端面に固設し、かつ、前記挟持部の端に薬剤を付けた布、ちり紙又は脱脂綿を挟み込んで患部に擦り付けて塗布することを特徴とする。
【０００９】
請求項２に係る薬剤塗布補助具は、請求項１において、前記挟持部の端が、丸みを帯びた形状にしていることを特徴とする。
【００１０】
請求項３に係る薬剤塗布補助具は、請求項１又は２において、前記挟持具が、クマ、カエル、パンダ、ウサギ等の動物をモチーフにして形を取られていることを特徴とする。
【００１１】
これらの構成により、背中等の手の届かない箇所に薬剤を一人で塗布することが容易にできる。また、挟持部の角が丸みを帯びたクリップを使用しているので、薬剤を付けたガーゼ等の布、ちり紙や脱脂綿を挟んで、患部に塗布するときに背中等の肌を傷つけることがない。この場合、支持棒も角を落としたものを使用するのがよい。また、クリップの挟持部が、支持棒から略直角方向に突出しているので、薬剤を付けたガーゼ等の布、ちり紙や脱脂綿のみを患部につけることができる。また、支持棒は直線状となっており、その先端部で略直角にクリップを固定しているため、薬剤を付けた布等の位置を把握する感覚が掴み易く、自分の狙い通りに薬剤を塗布することができる。したがって、患部の位置に正確に薬剤を塗布できるので、塗布に無駄がなく薬剤の使用量が抑えられると共に、患部でない箇所に薬剤がつく可能性を低く抑えることができる。
【００１２】
本考案の薬剤塗布補助具は、クリップの挟持具が、クマ、カエル、パンダ、ウサギ等の動物をモチーフとしたクリップであるので、見た目も大変かわいらしく気持ちが癒され、楽しい気分で薬剤を塗布することができる。
【００１３】
本考案の薬剤塗布補助具は、ラワンなどの軽い木及び集成材を用いた支持棒とプラスチック製のクリップを使用するので、大変軽くて扱いやすく、取り回しも楽で疲労しない。
【考案の効果】
【００１４】
本考案に係る請求項１から２に記載の薬剤塗布補助具によれば、手が届かない箇所に容易に薬剤を塗布することができる。また、薬剤を正確に患部に塗布できるので、無駄がなく薬剤の使用量を抑えると共に、患部以外の正常な箇所に薬剤がつく可能性を低く抑えることができるので、患部以外の箇所の薬剤による副作用をなくすことができる。また、薬剤を塗布する場合に、支持棒やクリップによって、肌を傷つけるおそれがないので、安心して使用することができる。また、薬剤塗布補助具は、軽いので自由に取り回しができ、腕が疲労しない。
【００１５】
また、本考案に係る請求項３に記載の薬剤塗布補助具によれば、動物をモチーフとしたクリップの挟持具であるので、見た目も大変かわいらしく癒される。したがって、薬剤を塗布する場合に、気持も癒され、治りも早くなる。
【図面の簡単な説明】
【００１６】
【図１】図１は、本考案を実施するための形態に係る薬剤塗布補助具の模式的斜視図である。
【図２】図２は、本考案を実施するための形態に係る薬剤塗布補助具のクリップ部分の模式的拡大斜視図である。
【図３】図３は、本考案を実施するための形態に係る薬剤塗布補助具の使用状態を示す模式的斜視図である。
【考案を実施するための形態】
【００１７】
本考案に係る薬剤塗布補助具を実施するための形態について図１、図２、図３を用いて説明する。図１は、本考案を実施するための形態に係る薬剤塗布補助具の模式的斜視図である。図２は、本考案を実施するための形態に係る薬剤塗布補助具のクリップ部分の模式的拡大斜視図である。図３は、本考案を実施するための形態に係る薬剤塗布補助具の使用状態を示す模式的斜視図である。
【００１８】
図１、図２、図３を用いて、薬剤塗布補助具１を説明する。本考案に係る薬剤塗布補助具１は、直線状の角棒又は丸棒でできた支持棒２と、布、ちり紙及び脱脂綿等を挟むことができるクリップ３と、から構成されて、クリップ３は、支持棒２の一端に、支持棒２の軸中心線２−１とクリップ３の中央線３−４とのなす角βが略直角方向になるように固設されて、かつ、クリップ３の挟持部３−１は支持棒２より略直角方向に突出している。ここで、支持棒２の軸中心線２−１とは、支持棒２の延長方向を表し、クリップ３の中央線とは、クリップ３の２つの挟持具３−２の二等分線を表す。
【００１９】
支持棒２の他端は、把持部を兼ねており、角を面取りした角棒又は丸棒であるので握り易く、また、剛性が強いので撓まず操作がし易い。また、薬剤を塗布する場合に支持棒２の角で肌を傷つけることがない。また、材質はラワン等の密度の小さい軽い木材や集成材が、薬剤塗布時に腕が疲労せずによい。
【００２０】
クリップ３は、二つの挟持具３−２を蝶番及びばね３−３で繋いだ構造であって、端部、特に挟持部３−１が、丸みを帯びて角がないクリップなので、薬剤を塗布する場合に、患部を含め肌を傷つけることがない。また、クリップ３は、薬剤を付けたガーゼ等の布、ちり紙又は脱脂綿を挟んで擦りつけて塗布するときに、はずれないぐらい強く挟むことができるものがよい。クリップ３は、プラスチック製の挟持具３−２に金属製のばね３−３で構成されたものが、軽くて、角を丸くできて肌を傷つけることなく、しかも挟む力が強くて好適である。また、クリップ３の挟持具３−２は、動物の、例えば、クマ、カエル、パンダ、ウサギ等をモチーフとした形状をしているので、見た目が大変可愛く、癒される。
【００２１】
また、支持棒２とクリップ３との間には、木ねじ４と強力な接着剤で固設していることと、支持棒２の剛性が強いことと相俟って、人２０の手の動きが直接クリップ３の挟持部３−１に挟まれた薬剤を塗布した布１０に、正確に伝わるので操作性が非常に良い。したがって、背中に薬剤を塗布する人２０が、薬剤塗布補助具１を手に持って手や肘を動かせば、その動きが直接クリップ３の挟持部３−１に挟んだ薬剤を塗布した布１０等に伝わり、人２０の意のままに薬剤を患部に擦り付けて塗布することができる。また、クリップ３の挟持部３−１は、支持棒２より略直角方向に突き出すようにしている。このことによって、薬剤を塗布した布１０のみを背中の患部に塗り付けることができる。
【００２２】
次に、本考案に係る薬剤塗布補助具１の製造方法の一例を説明する。まず、支持棒２は、幅約１５〜３０ｍｍ、厚み約１０〜２０ｍｍ、の角棒又は直径約１０〜２０ｍｍの丸棒を長さ約３５０〜５００ｍｍに切断する。角棒を使用する場合には角を削って面取りをする。このことによって、支持棒２は握り易く、また、支持棒２の角で人２０の肌を傷つけることを防ぐことができる。支持棒２のクリップ３と固設する側の端面は、クリップ３の中央線３−４が、支持棒２の軸中心線２−１とのなす角βが略直角となるように、例えば、クリップ３の中央線３−４から挟持具３−２とのなす角αが、約２０度であるクリップ３を固設する場合には、斜めに約１１０度に切断する。次に、支持棒２の前述の斜めに切断した端部に、支持棒２の軸中心線２−１とクリップ３の中央線３−１とのなす角βが略直角となるように、かつ、クリップ３の挟持部３−１が支持棒２から略直角方向に突設するようにしてクリップ３を木ねじ４と接着剤で支持棒２に堅固に接着する。接着剤が乾いて所定の強度が出れば、支持棒２の劣化の防止と美観のために支持棒２全体にニスを塗布して、本考案に係る薬剤塗布補助具１が完成する。
【００２３】
次に、本考案に係る薬剤塗布補助具１の使用方法の一例を説明する。まず、背中で手の届かない箇所に患部がある人２０は、布１０をクリップ３より少し大きくなるように折りたたむ。次に、人２０は、薬剤塗布補助具１の支持棒２のクリップ３を左手で握り、左手の人差し指でクリップ３の挟持具３−２に力を加えて、挟持部３−１を開かせる。そして、右手で先ほど畳んだ布１０の山折りにして丸くなった側が前面に少し出るようにして、左人差し指の力を抜きクリップ３の挟持部３−１に挟み込んで、薬剤塗布補助具１に布１０をセットする。次に、布１０のクリップ３から飛び出している部分に薬剤を適量を付ける。そして、薬剤塗布補助具１の支持棒２を右手に持ち、患部に狙いを定めて薬剤を擦り付けるように塗布して使用する。
【００２４】
このように本考案に係る薬剤塗布補助具１を使用すれば、直線状の支持棒２と、支持棒２に対し略直角にクリップ３と、を固設しているため、人２０の意のままに薬剤塗布補助具１を動かすことができるので、背中の患部が見えなくとも、感覚で患部に薬剤を容易に塗布することができる。また、クリップ３の挟持部３−１は支持棒２から略直角方向に突設しているため、薬剤を正確に患部に塗布できるので、無駄がなく薬剤の使用量を抑えると共に、患部以外の正常な箇所に薬剤がつく可能性を低く抑えることができるので、薬剤代の無駄を無くし、患部以外の箇所の薬剤による副作用をなくすことができる。また、クリップ３、支持棒２共に角が丸みを帯び、又は面取りされているので、肌を傷つけないようにすることができる。軽い材料を使用しているので、腕が疲労しない。
【産業上の利用可能性】
【００２５】
手の届かない箇所に薬剤を塗布する分野で広く利用できる。
【符号の説明】
【００２６】
１：薬剤塗布補助具
２：支持棒              ２−１：支持棒軸中心線
３：クリップ              
３−１：挟持部          ３−２：挟持具          ３−３：ばね
３−４：中央線
４：木ねじ  
１０：薬剤を塗布した布
２０：人
α： クリップ中央線と挟持具とのなす角
β：支持棒軸中心線とクリップ中央線とのなす角
【図１】
0003172328.tif 000003
【図２】
0003172328.tif 000004
【図３】
0003172328.tif 000005